(57)【要約】【課題】うねりを抑制する搬送チェーンを提供すること。【解決手段】一対のうちの一方の外プレート１２０Ａが、一方の内プレート１１０Ａの内プレート側当接部１１２Ａと当接する外プレート側当接部１２２Ａを有し、一対の内プレート１１０および一対の外プレート１２０が、一対のうちの一方の内プレート１１０ＡのピッチＰ１＞一対のうちの他方の内プレート１１０ＢのピッチＰ３、かつ、一対のうちの一方の外プレート１２０ＡのピッチＰ２≧一対のうちの他方の外プレート１２０ＢのピッチＰ４、または、一対のうちの一方の内プレート１１０ＡのピッチＰ１≧一対のうちの他方の内プレート１１０ＢのピッチＰ３、かつ、一対のうちの一方の外プレート１２０ＡのピッチＰ２＞一対のうちの他方の外プレート１２０ＢのピッチＰ４を満たす関係を有していることを特徴とする搬送チェーン１００。【選択図】図３
2014125341.tif 000002
【特許請求の範囲】
【請求項１】
左右に離間配置した一対の内プレートと、該内プレートの両外側に配置した一対の外プレートと、前記内プレートのブシュ穴に圧入されるブシュと、該ブシュに回転自在に挿通されて外プレートのピン穴に圧入される連結ピンと、前記外プレートの外側にチェーン長手方向で所定間隔あけて回転自在に配設されチェーン長手方向に延びたレール上を走行する走行用ローラとを備えスプロケットから搬送手段に動力を伝達して搬送物を搬送する搬送チェーンにおいて、
前記一対のうちの一方の内プレートが、前記一対のうちの一方の外プレートと当接する内プレート側当接部を有するとともに、前記一対のうちの一方の外プレートが、前記内プレート側当接部と当接して連結ピンを中心とした連結ピン周方向の一方への所定姿勢以上の屈曲を規制する外プレート側当接部を有し、
前記所定姿勢が、前記走行用ローラ間で走行用ローラ間を結ぶ直線に対してチェーン外周側へ凸となる湾曲姿勢であり、
前記一対の内プレートおよび一対の外プレートが、
前記一対のうちの一方の内プレートのピッチＰ１  ＞  一対のうちの他方の内プレートのピッチＰ３、かつ、一対のうちの一方の外プレートのピッチＰ２  ≧  一対のうちの他方の外プレートのピッチＰ４、
または、前記一対のうちの一方の内プレートのピッチＰ１  ≧  一対のうちの他方の内プレートのピッチＰ３、かつ、一対のうちの一方の外プレートのピッチＰ２  ＞  一対のうちの他方の外プレートのピッチＰ４
を満たす関係を有していることを特徴とする搬送チェーン。
【請求項２】
前記ブシュと連結ピンとの間のクリアランス量をＣとしたとき、
前記一対の内プレートおよび一対の外プレートが、
前記クリアランス量Ｃ  ＞  ピッチＰ１−ピッチＰ３、および、クリアランス量Ｃ  ＞  ピッチＰ２−ピッチＰ４
を満たす関係を有していることを特徴とする請求項１に記載の搬送チェーン。
【請求項３】
前記一対の内プレートおよび一対の外プレートが、
前記ピッチＰ３  ＝  ピッチＰ４
を満たす関係を有していることを特徴とする請求項１または請求項２に記載の搬送チェーン。
【発明の詳細な説明】
【技術分野】
【０００１】
本発明は、外プレートの外側にチェーン長手方向で所定間隔あけて回転自在に配設されチェーン長手方向に延びたレール上を走行する走行用ローラを備えスプロケットから搬送手段に動力を伝達して搬送物を搬送する搬送チェーンに関する。
【背景技術】
【０００２】
従来、レール上を走行する走行用ローラを備えスプロケットから搬送手段としてのウィケットに動力を伝達して搬送物を搬送する搬送チェーンが知られている（例えば、特許文献１および特許文献２）。
このような従来の搬送チェーンとして、例えば、図５乃至図７（Ｂ）に示すような搬送チェーン７００がある。
【０００３】
ここで、図５は、従来技術の搬送チェーン７００の問題点を示す概略平面図であり、図６（Ａ）は、図６（Ｂ）の符号６Ａから視た従来技術の搬送チェーン７００を示す側面図であり、図６（Ｂ）は、図６（Ａ）の符号６Ｂから視た従来技術の搬送チェーン７００を示す平面図であり、図６（Ｃ）は、図６（Ｂ）の符号６Ｃから視た従来技術の搬送チェーン７００を示す側面図であり、図７（Ａ）は、図６（Ａ）に示す側のブシュ７４０と連結ピン７３０との接触状態を示す図であり、図７（Ｂ）は、図６（Ｃ）に示す側のブシュ７４０と連結ピン７３０との接触状態を示す図である。
【０００４】
従来の搬送チェーン７００は、図５乃至図７（Ｂ）に示すように、左右に離間配置した一対の内プレート７１０と、一対の内プレート７１０の両外側に配置した一対の外プレート７２０と、一対の内プレート７１０のブシュ穴７１１Ａ、７１１Ｂに圧入されるブシュ７４０と、ブシュ７４０に回転自在に挿通されて一対の外プレート７２０のピン穴７２１Ａ、７２１Ｂに圧入される連結ピン７３０と、一対の外プレート７２０の外側にチェーン長手方向Ｙで所定間隔あけて回転自在に配設されチェーン長手方向Ｙに延びたレールＲ上を走行する走行用ローラ７６０とを備えていた。
さらに、ブシュ７４０の外周には、スプロケットと噛み合うローラ７５０が配設されていた。
【０００５】
また、一方の内プレート７１０ＡのピッチＰ１と、一方の外プレート７２０ＡのピッチＰ２と、他方の内プレート７１０ＢのピッチＰ３と、他方の外プレート７２０ＢのピッチＰ４との全てが同じ長さだった。
ここで、「ピッチ」とは、１つのプレート（内プレート、外プレート）のチェーン長手方向両側に設けられたブシュ穴またはピン穴のそれぞれの中心間の長さをいう。
【０００６】
また、一対のうちの一方の内プレート７１０Ａが、内プレート側当接部７１２Ａを有し、他方の内プレート７１０Ｂが、ウィケット取付部７１３Ｂを有していた。
同様に、一対のうちの一方の外プレート７２０Ａが、内プレート側当接部７１２Ａと当接して連結ピン７３０を中心とした連結ピン周方向の一方への所定姿勢以上の屈曲を規制する外プレート側当接部７２２Ａを有し、他方の外プレート７２０Ｂが、ウィケット取付部７２３Ｂを有していた。
【先行技術文献】
【特許文献】
【０００７】
【特許文献１】特開平９−２８０７３４号公報
【特許文献２】実開平６−２４２２７号公報
【発明の概要】
【発明が解決しようとする課題】
【０００８】
しかしながら、上述した従来の搬送チェーン７００は、チェーン幅方向Ｘの一方のみに内プレート側当接部７１２Ａおよび外プレート側当接部７２２Ａが設けられて、一方の内プレート７１０ＡのピッチＰ１と、一方の外プレート７２０ＡのピッチＰ２と、他方の内プレート７１０ＢのピッチＰ３と、他方の外プレート７２０ＢのピッチＰ４との全てが同じ長さとなる関係を有する構造であったため、内プレート側当接部７１２Ａおよび外プレート側当接部７２２Ａが互いに接触することによりチェーン長手方向以外の方向の力が生じて、チェーン幅方向Ｘで、内プレート側当接部７１２Ａおよび外プレート側当接部７２２Ａが設けられている一方側（図７（Ｂ）参照）と、内プレート側当接部７１２Ａおよび外プレート側当接部７２２Ａが設けられていない他方側（図７（Ａ）参照）とでは、ブシュ７４０と連結ピン７３０との接触状態が異なり、内プレート側当接部７１２Ａおよび外プレート側当接部７２２Ａが設けられている一方側（図７（Ｂ）参照）のチェーン長手方向Ｙの搬送チェーン７００の長さが、内プレート側当接部７１２Ａおよび外プレート側当接部７２２Ａが設けられていない他方側（図７（Ａ）参照）のチェーン長手方向Ｙの搬送チェーン７００の長さと比べて、チェーン長手方向Ｙのクリアランス量Ｃの範囲内で差（ＣとＣ’との差）が生じた分だけ短くなり、これが累積されて図５に示すように搬送チェーン７００の横曲がりである所謂、うねりが生じるという問題があった。
【０００９】
そこで、本発明は、前述したような従来技術の問題を解決するものであって、すなわち、本発明の目的は、うねりを抑制する搬送チェーンを提供することである。
【課題を解決するための手段】
【００１０】
本請求項１に係る発明は、左右に離間配置した一対の内プレートと、該内プレートの両外側に配置した一対の外プレートと、前記内プレートのブシュ穴に圧入されるブシュと、該ブシュに回転自在に挿通されて外プレートのピン穴に圧入される連結ピンと、前記外プレートの外側にチェーン長手方向で所定間隔あけて回転自在に配設されチェーン長手方向に延びたレール上を走行する走行用ローラとを備えスプロケットから搬送手段に動力を伝達して搬送物を搬送する搬送チェーンにおいて、前記一対のうちの一方の内プレートが、前記一対のうちの一方の外プレートと当接する内プレート側当接部を有するとともに、前記一対のうちの一方の外プレートが、前記内プレート側当接部と当接して連結ピンを中心とした連結ピン周方向の一方への所定姿勢以上の屈曲を規制する外プレート側当接部を有し、前記所定姿勢が、前記走行用ローラ間で走行用ローラ間を結ぶ直線に対してチェーン外周側へ凸となる湾曲姿勢であり、前記一対の内プレートおよび一対の外プレートが、前記一対のうちの一方の内プレートのピッチＰ１＞一対のうちの他方の内プレートのピッチＰ３、かつ、一対のうちの一方の外プレートのピッチＰ２≧一対のうちの他方の外プレートのピッチＰ４、または、前記一対のうちの一方の内プレートのピッチＰ１≧一対のうちの他方の内プレートのピッチＰ３、かつ、一対のうちの一方の外プレートのピッチＰ２＞一対のうちの他方の外プレートのピッチＰ４を満たす関係を有していることにより、前述した課題を解決するものである。
【００１１】
本請求項２に係る発明は、請求項１に記載された搬送チェーンの構成に加えて、前記ブシュと連結ピンとの間のクリアランス量をＣとしたとき、前記一対の内プレートおよび一対の外プレートが、前記クリアランス量Ｃ＞ピッチＰ１−ピッチＰ３、および、クリアランス量Ｃ＞ピッチＰ２−ピッチＰ４を満たす関係を有していることにより、前述した課題をさらに解決するものである。
【００１２】
本請求項３に係る発明は、請求項１または請求項２に記載された搬送チェーンの構成に加えて、前記一対の内プレートおよび一対の外プレートが、前記ピッチＰ３＝ピッチＰ４を満たす関係を有していることにより、前述した課題をさらに解決するものである。
【発明の効果】
【００１３】
本発明の搬送チェーンは、左右に離間配置した一対の内プレートと、内プレートの両外側に配置した一対の外プレートと、内プレートのブシュ穴に圧入されるブシュと、ブシュに回転自在に挿通されて外プレートのピン穴に圧入される連結ピンと、外プレートの外側にチェーン長手方向で所定間隔あけて回転自在に配設されチェーン長手方向に延びたレール上を走行する走行用ローラとを備えていることにより、スプロケットから搬送手段に動力を伝達して搬送物を搬送することができるばかりでなく、以下のような特有の効果を奏することができる。
【００１４】
本請求項１に係る発明の搬送チェーンによれば、一対のうちの一方の内プレートが、一対のうちの一方の外プレートと当接する内プレート側当接部を有するとともに、一対のうちの一方の外プレートが、内プレート側当接部と当接して連結ピンを中心とした連結ピン周方向の一方への所定姿勢以上の屈曲を規制する外プレート側当接部を有し、所定姿勢が、走行用ローラ間で走行用ローラ間を結ぶ直線に対してチェーン外周側へ凸となる湾曲姿勢であり、一対の内プレートおよび一対の外プレートが、一対のうちの一方の内プレートのピッチＰ１＞一対のうちの他方の内プレートのピッチＰ３、かつ、一対のうちの一方の外プレートのピッチＰ２≧一対のうちの他方の外プレートのピッチＰ４、または、一対のうちの一方の内プレートのピッチＰ１≧一対のうちの他方の内プレートのピッチＰ３、かつ、一対のうちの一方の外プレートのピッチＰ２＞一対のうちの他方の外プレートのピッチＰ４を満たす関係を有していることにより、所定姿勢のときにブシュと連結ピンとの接触状態で搬送チェーンの前記一方側の長さが他方側の長さより短くなるようにチェーン長手方向に差が生じるが、一対の内プレートおよび外プレートの前記一方側のピッチの合計の長さが一対の内プレートおよび外プレートの前記他方側のピッチの合計の長さより長くなり全体として搬送チェーンの前記一方側の長さと他方側の長さとの差が小さくなるまたは無になるため、搬送チェーンの横曲がりである所謂、うねりを抑制できる。
【００１５】
本請求項２に係る発明の搬送チェーンによれば、請求項１に係る発明が奏する効果に加えて、ブシュと連結ピンとの間のクリアランス量をＣとしたとき、一対の内プレートおよび一対の外プレートが、クリアランス量Ｃ＞ピッチＰ１−ピッチＰ３、および、クリアランス量Ｃ＞ピッチＰ２−ピッチＰ４を満たす関係を有していることにより、一対の内プレートおよび外プレートの前記一方側のピッチの合計の長さが一対の内プレートおよび外プレートの前記他方側のピッチの合計の長さよりクリアランス量Ｃの範囲内で長くなり全体として搬送チェーンの前記一方側の長さと他方側の長さとの差が小さくなるまたは無になるため、搬送チェーンのうねりをより抑制できる。
【００１６】
本請求項３に係る発明の搬送チェーンによれば、請求項１または請求項２に係る発明が奏する効果に加えて、一対の内プレートおよび一対の外プレートが、ピッチＰ３＝ピッチＰ４を満たす関係を有していることにより、全体として基本的なピッチが等間隔となるため、スプロケットと滑らかに噛み合うことができる。
【図面の簡単な説明】
【００１７】
【図１】本発明の実施例である搬送チェーンを備えたウィケット式コンベヤ乾燥機の概略側面図。
【図２】図１の符号２Ａ−２Ａおよび符号２Ｂで視た概略図。
【図３】本発明の実施例である搬送チェーンを示す側面図および平面図。
【図４】本発明の実施例である搬送チェーンのブシュと連結ピンとの接触状態を示す図。
【図５】従来技術の搬送チェーンの問題点を示す概略平面図。
【図６】従来技術の搬送チェーンを示す側面図および平面図。
【図７】従来技術の搬送チェーンのブシュと連結ピンとの接触状態を示す図。
【発明を実施するための形態】
【００１８】
本発明は、左右に離間配置した一対の内プレートと、内プレートの両外側に配置した一対の外プレートと、内プレートのブシュ穴に圧入されるブシュと、ブシュに回転自在に挿通されて外プレートのピン穴に圧入される連結ピンと、外プレートの外側にチェーン長手方向で所定間隔あけて回転自在に配設されチェーン長手方向に延びたレール上を走行する走行用ローラとを備えスプロケットから搬送手段に動力を伝達して搬送物を搬送する搬送チェーンにおいて、一対のうちの一方の内プレートが、一対のうちの一方の外プレートと当接する内プレート側当接部を有するとともに、一対のうちの一方の外プレートが、内プレート側当接部と当接して連結ピンを中心とした連結ピン周方向の一方への所定姿勢以上の屈曲を規制する外プレート側当接部を有し、所定姿勢が、走行用ローラ間で走行用ローラ間を結ぶ直線に対してチェーン外周側へ凸となる湾曲姿勢であり、一対の内プレートおよび一対の外プレートが、一対のうちの一方の内プレートのピッチＰ１＞一対のうちの他方の内プレートのピッチＰ３、かつ、一対のうちの一方の外プレートのピッチＰ２≧一対のうちの他方の外プレートのピッチＰ４、または、一対のうちの一方の内プレートのピッチＰ１≧一対のうちの他方の内プレートのピッチＰ３、かつ、一対のうちの一方の外プレートのピッチＰ２＞一対のうちの他方の外プレートのピッチＰ４を満たす関係を有していることにより、搬送チェーンのうねりを抑制するものであれば、その具体的な実施態様は、如何なるものであっても構わない。
【００１９】
例えば、搬送手段は、ウィケットやバケットなど搬送物を搬送するものであれば如何なる形態でもよい。
また、搬送チェーンを構成するチェーン自体の素材は、通常温度で引張強度に優れたものであれば、鉄系あるいは被鉄系の金属材料などいかなる材料でも構わないが、相当の引張強度を要すること、内プレート、外プレート、連結ピン及びブシュなどの部品は、引張強度及び防蝕性などを考慮すると、鋼系の材料で形成することが望ましい。
さらに、搬送チェーンは、ブシュの外周にローラを有するものでもよいし、有さないものでもよい。
【実施例】
【００２０】
以下に、本発明の実施例である搬送チェーン１００について、図１乃至図４に基づいて説明する。
ここで、図１は、本発明の実施例である搬送チェーン１００を備えたウィケット式コンベヤ乾燥機Ａの概略側面図であり、図２（Ａ）は、図１の符号２Ａ−２Ａで視た概略図であり、図２（Ｂ）は、図１の符号２Ｂで視た概略図であり、図３（Ａ）は、図３（Ｂ）の符号３Ａから視た本発明の実施例である搬送チェーン１００を示す側面図であり、図３（Ｂ）は、図３（Ａ）の符号３Ｂから視た本発明の実施例である搬送チェーン１００を示す平面図であり、図３（Ｃ）は、図３（Ｂ）の符号３Ｃから視た本発明の実施例である搬送チェーン１００を示す側面図であり、図４（Ａ）は、図３（Ａ）に示す側のブシュ１４０と連結ピン１３０との接触状態を示す図であり、図４（Ｂ）は、図３（Ｃ）に示す側のブシュ１４０と連結ピン１３０との接触状態を示す図である。
【００２１】
本発明の実施例である搬送チェーン１００を備えたウィケット式コンベヤ乾燥機Ａは、図１に示すように、内部に配設された一対のスプロケットＳと、この一対のスプロケットＳに掛け回された搬送チェーン１００とを備えている。
搬送チェーン１００には、搬送手段としてのウィケット１７０が取り付けられている。
そして、ウィケット式コンベヤ乾燥機Ａは、搬送物がウィケット１７０によって搬送されながら図示しない乾燥手段によって搬送物を乾燥するように構成されている。
なお、搬送チェーン１００は、図２（Ａ）および図２（Ｂ）に示すように、乾燥機幅方向両側で一対掛け回されており、一対の搬送チェーン１００が、ウィケット１７０の両側を支持している。
【００２２】
続いて、本発明の実施例である搬送チェーン１００について詳しく説明する。
本発明の実施例である搬送チェーン１００は、左右に離間配置した一対の内プレート１１０と、一対の内プレート１１０の両外側に配置した一対の外プレート１２０と、一対の内プレート１１０のブシュ穴１１１Ａ、１１１Ｂに圧入されるブシュ１４０と、ブシュ１４０に回転自在に挿通されて一対の外プレート１２０のピン穴１２１Ａ、１２１Ｂに圧入される連結ピン１３０と、一対の外プレート１２０の外側にチェーン長手方向Ｙで所定間隔あけて回転自在に配設されチェーン長手方向Ｙに延びたレールＲ上を走行する走行用ローラ１６０とを備えている。
【００２３】
さらに、ブシュ１４０の外周には、スプロケットＳと噛み合うローラ１５０が配設されていた。
また、一対のうちの一方の内プレート１１０Ａが、一対のうちの一方の外プレート１２０Ａと当接する内プレート側当接部１１２Ａを有している。
同様に、一対のうちの一方の外プレート１２０Ａが、内プレート側当接部１１２Ａと当接して連結ピン１３０を中心とした連結ピン周方向の一方への所定姿勢以上の屈曲を規制する外プレート側当接部１２２Ａを有している。
【００２４】
さらに、所定姿勢が、走行用ローラ１６０間で走行用ローラ１６０間を結ぶ直線に対してチェーン外周側へ僅かに凸となる湾曲姿勢である。
ここで、所定姿勢を僅かに凸となる湾曲姿勢とした理由は、チェーン長手方向両側に引っ張る引っ張り荷重がかかったときや、ウィケット１７０や搬送物が載置されたときに真っ直ぐに矯正されるようにするためである。
【００２５】
また、一対の内プレート１１０および一対の外プレート１２０が、
一対のうちの一方の内プレート１１０ＡのピッチＰ１＞一対のうちの他方の内プレート１１０ＢのピッチＰ３、かつ、
一対のうちの一方の外プレート１２０ＡのピッチＰ２≧一対のうちの他方の外プレート１２０ＢのピッチＰ４
または、
一対のうちの一方の内プレート１１０ＡのピッチＰ１≧一対のうちの他方の内プレート１１０ＢのピッチＰ３、かつ、
一対のうちの一方の外プレート１２０ＡのピッチＰ２＞一対のうちの他方の外プレート１２０ＢのピッチＰ４
を満たす関係を有している。
【００２６】
これにより、所定姿勢のときにブシュ１４０と連結ピン１３０との接触状態で搬送チェーン１００の前記一方側の長さが他方側の長さより短くなるようにチェーン長手方向Ｙに差が生じた場合であっても、一対の内プレート１１０および一対の外プレート１２０の前記一方側のピッチＰ１、Ｐ２の合計の長さが一対の内プレート１１０および一対の外プレート１２０の前記他方側のピッチＰ３、Ｐ４の合計の長さより長くなり、全体として搬送チェーン１００の前記一方側の長さと他方側の長さとの差が小さくなるまたは無になる。
【００２７】
具体的には、一対の内プレート１１０のうちの一方の内プレート１１０Ａが、内プレート側当接部１１２Ａを有し、他方の内プレート１１０Ｂが、ウィケット取付部１１３Ｂを有している。
同様に、一対の外プレート１２０のうちの一方の外プレート１２０Ａが、外プレート側当接部１２２Ａを有し、他方の外プレート１２０Ｂが、ウィケット取付部１２３Ｂを有している。
【００２８】
そして、図４（Ａ）および図４（Ｂ）に示すように、ブシュ１４０の内周面と連結ピン１３０の外周面との間にクリアランス（Ｃ）が設けられている。
なお、発明を容易に理解できるように、クリアランス量Ｃを実際の寸法よりも強調して図示する。
通常は、チェーン長手方向両側に引っ張る引っ張り荷重がかかるため、ブシュ１４０と連結ピン１３０との接触状態は図４（Ａ）に示す状態となる。
【００２９】
ところが、チェーン幅方向Ｘの一方のみに内プレート側当接部１１２Ａおよび外プレート側当接部１２２Ａが設けられており、内プレート側当接部１１２Ａおよび外プレート側当接部１２２Ａが互いに接触することにより、チェーン長手方向以外の方向の力が生じる。
この力により、内プレート側当接部１１２Ａおよび外プレート側当接部１２２Ａが設けられている側では、ブシュ１４０と連結ピン１３０との接触位置が図４（Ａ）の接触位置と比べて図４（Ｂ）中の下方にずれた位置となり、チェーン長手方向Ｙのクリアランス量がＣからＣ’に変化する。
【００３０】
つまり、チェーン幅方向Ｘで、内プレート側当接部１１２Ａおよび外プレート側当接部１２２Ａが設けられている一方側（図４（Ｂ）参照）と、内プレート側当接部１１２Ａおよび外プレート側当接部１２２Ａが設けられていない他方側（図４（Ａ）参照）とでは、ブシュ１４０と連結ピン１３０との接触状態が異なる。
そして、内プレート側当接部１１２Ａおよび外プレート側当接部１２２Ａが設けられている一方側（図４（Ｂ）参照）が、内プレート側当接部１１２Ａおよび外プレート側当接部１２２Ａが設けられていない他方側（図４（Ａ）参照）と比べて、クリアランス量Ｃの範囲内で差（ＣとＣ’との差）が生じた分だけチェーン長手方向Ｙの長さが短くなる。
【００３１】
そこで、本発明では、一対の内プレート１１０および一対の外プレート１２０が、上述した関係を有している。
これにより、上述したように、所定姿勢のときにブシュ１４０と連結ピン１３０との接触状態で搬送チェーン１００の前記一方側の長さが他方側の長さより短くなるようにチェーン長手方向Ｙに差が生じた場合であっても、一対の内プレート１１０および一対の外プレート１２０の前記一方側のピッチＰ１、Ｐ２の合計の長さが一対の内プレート１１０および一対の外プレート１２０の前記他方側のピッチＰ３、Ｐ４の合計の長さより長くなり、全体として搬送チェーン１００の前記一方側の長さと他方側の長さとの差が小さくなるまたは無になる。
【００３２】
さらに、一対の内プレート１１０および一対の外プレート１２０が、クリアランス量Ｃ＞ピッチＰ１−ピッチＰ３、および、クリアランス量Ｃ＞ピッチＰ２−ピッチＰ４を満たす関係を有している。
これにより、一対の内プレート１１０および一対の外プレート１２０の前記一方側のピッチＰ１、Ｐ２の合計の長さが一対の内プレート１１０および一対の外プレート１２０の前記他方側のピッチＰ３、Ｐ４の合計の長さよりクリアランス量Ｃの範囲内で長くなり全体として搬送チェーン１００の前記一方側の長さと他方側の長さとの差が小さくなるまたは無になる。
さらに、（Ｃ−Ｃ’）／２＞ピッチＰ１−ピッチＰ３、（Ｃ−Ｃ’）／２＞ピッチＰ２−ピッチＰ４の関係を有することで、搬送チェーン１００の前記一方側の長さと他方側の長さとの差がより無に近づく。
【００３３】
また、一対の内プレート１１０および一対の外プレート１２０が、ピッチＰ３＝ピッチＰ４を満たす関係を有している。
これにより、全体として基本的なピッチが等間隔となる。
【００３４】
このようにして得られた本発明の実施例である搬送チェーン１００は、一対のうちの一方の内プレート１１０Ａが、一対のうちの一方の外プレート１２０Ａと当接する内プレート側当接部１１２Ａを有するとともに、一対のうちの一方の外プレート１２０Ａが、内プレート側当接部１１２Ａと当接して連結ピン１３０を中心とした連結ピン周方向の一方への所定姿勢以上の屈曲を規制する外プレート側当接部１２２Ａを有し、所定姿勢が、走行用ローラ１６０間で走行用ローラ１６０間を結ぶ直線に対してチェーン外周側へ凸となる湾曲姿勢であり、一対の内プレート１１０および一対の外プレート１２０が、一対のうちの一方の内プレート１１０ＡのピッチＰ１＞一対のうちの他方の内プレート１１０ＢのピッチＰ３、かつ、一対のうちの一方の外プレート１２０ＡのピッチＰ２≧一対のうちの他方の外プレート１２０ＢのピッチＰ４、または、一対のうちの一方の内プレート１１０ＡのピッチＰ１≧一対のうちの他方の内プレート１１０ＢのピッチＰ３、かつ、一対のうちの一方の外プレート１２０ＡのピッチＰ２＞一対のうちの他方の外プレート１２０ＢのピッチＰ４を満たす関係を有していることにより、所定姿勢のときにブシュ１４０と連結ピン１３０との接触状態で搬送チェーン１００の前記一方側の長さが他方側の長さより短くなるようにチェーン長手方向Ｙに差が生じた場合であっても、搬送チェーン１００の横曲がりである所謂、うねりを抑制できる。
【００３５】
さらに、ブシュ１４０と連結ピン１３０との間のクリアランス量をＣとしたとき、一対の内プレート１１０および一対の外プレート１２０が、クリアランス量Ｃ＞ピッチＰ１−ピッチＰ３、および、クリアランス量Ｃ＞ピッチＰ２−ピッチＰ４を満たす関係を有していることにより、搬送チェーン１００のうねりをより抑制できる。
【００３６】
また、一対の内プレート１１０および一対の外プレート１２０が、ピッチＰ３＝ピッチＰ４を満たす関係を有していることにより、スプロケットＳと滑らかに噛み合うことができるなど、その効果は甚大である。
【符号の説明】
【００３７】
１００、  ７００    ・・・  搬送チェーン
１１０、  ７１０    ・・・  一対の内プレート
１１０Ａ、７１０Ａ  ・・・  一方の内プレート
１１０Ｂ、７１０Ｂ  ・・・  他方の内プレート
１１１Ａ、７１１Ａ  ・・・  ブシュ穴
１１１Ｂ、７１１Ｂ  ・・・  ブシュ穴
１１２Ａ、７１２Ａ  ・・・  内プレート側当接部
１１３Ｂ、７１３Ｂ  ・・・  ウィケット取付部
１２０、  ７２０    ・・・  一対の外プレート
１２０Ａ、７２０Ａ  ・・・  一方の外プレート
１２０Ｂ、７２０Ｂ  ・・・  他方の外プレート
１２１Ａ、７２１Ａ  ・・・  ピン穴
１２１Ｂ、７２１Ｂ  ・・・  ピン穴
１２２Ａ、７２２Ａ  ・・・  外プレート側当接部
１２３Ｂ、７２３Ｂ  ・・・  ウィケット取付部
１３０、  ７３０    ・・・  連結ピン
１４０、  ７４０    ・・・  ブシュ
１５０、  ７５０    ・・・  ローラ
１６０、  ７６０    ・・・  走行用ローラ
１７０              ・・・  ウィケット
Ａ                  ・・・  ウィケット式コンベヤ乾燥機
Ｃ                  ・・・  ブシュと連結ピンとの間の最大クリアランス
Ｃ’                ・・・  ブシュと連結ピンとの間での変化したクリアランス
Ｐ１                ・・・  一方の内プレートのピッチ
Ｐ２                ・・・  一方の外プレートのピッチ
Ｐ３                ・・・  他方の内プレートのピッチ
Ｐ４                ・・・  他方の外プレートのピッチ
Ｒ                  ・・・  レール
Ｓ                  ・・・  スプロケット
Ｘ                  ・・・  チェーン幅方向
Ｙ                  ・・・  チェーン長手方向
【図１】
2014125341.tif 000003
【図２】
2014125341.tif 000004
【図３】
2014125341.tif 000005
【図４】
2014125341.tif 000006
【図５】
2014125341.tif 000007
【図６】
2014125341.tif 000008
【図７】
2014125341.tif 000009